Podtech/llm-jp-corpus-v4-ja_patent huggingface dataset:
【手続補正書】
【提出日】平成20年7月17日(2008.7.17)
【手続補正１】
【補正対象書類名】特許請求の範囲
【補正対象項目名】全文
【補正方法】変更
【補正の内容】
【特許請求の範囲】
【請求項１】
肝細胞成長因子（ＨＧＦ）のヘプシン活性化を阻害する候補インヒビター物質の同定方法であって、（ａ）候補物質をヘプシンとプロＨＧＦ基質とを含有する第一試料と接触させ、（ｂ）該試料中のプロＨＧＦ基質の活性化量を、第一試料とほぼ同量のヘプシンとプロＨＧＦ基質とを含有するが該候補物質と反応させていない対照試料中のプロＨＧＦ基質の活性化量と比較し、対照試料中のプロＨＧＦ基質の活性化量と比較して第一試料中のプロＨＧＦ基質の活性化量が少ない場合に、該候補物質が単鎖ＨＧＦ（プロＨＧＦ）のヘプシン活性化を阻害することができることを示す方法。
【請求項２】
前記物質が、ヘプシンもしくはプロＨＧＦと結合する、請求項１に記載の方法。
【請求項３】
前記試料中のヘプシンが前記プロＨＧＦを活性化するために有効な量である、請求項１に記載の方法。
【請求項４】
前記プロＨＧＦ基質が、Ｒ４９４−Ｖ４９５ペプチド連鎖の野生型を含有するＨＧＦ又はその断片を含んでなるポリペプチドである、請求項１に記載の方法。
【請求項５】
前記プロＨＧＦ基質がプロテアーゼのコンセンサス切断部位に一致するヒトＨＧＦの切断部位を含んでなり、該切断部位が、位置Ｐ１に塩基性残基と、位置Ｐ１’及びＰ２’に２つの疎水性アミノ酸残基とを含有する、請求項１に記載の方法。
【請求項６】
ヘプシンによるプロＨＧＦの活性化を阻害し、かつ、プロＨＧＦもしくはヘプシンに結合することのできるアンタゴニスト分子。
【請求項７】
前記分子が、ＨＧＦもしくはヘプシンと結合する抗体又はその断片を含んでなる、請求項６に記載のアンタゴニスト分子。
【請求項８】
前記分子が、ヘプシンによるプロＨＧＦ活性化を阻害することのできるＫｕｎｉｔｚドメイン（ＫＤ）配列を含有するポリペプチドを含んでなる、請求項６に記載のアンタゴニスト分子。
【請求項９】
Ｋｕｎｉｔｚドメイン（ＫＤ）配列がＫｕｎｉｔｚドメイン１配列（ＫＤ−１）を含んでなる、請求項８に記載の分子。
【請求項１０】
ＫＤ−１配列が、ヒト肝細胞成長因子活性化因子インヒビター−１、−１Ｂ（ＨＡＩ−１、ＨＡＩ−１Ｂ）、もしくはその変異体のものである、請求項９に記載の分子。
【請求項１１】
Ｋｕｎｉｔｚドメイン（ＫＤ）配列が、ヒト肝細胞成長因子活性化因子インヒビター−２（ＨＡＩ−２）もしくはその変異体の、Ｋｕｎｉｔｚドメインの一つもしくは双方である、請求項８に記載の分子。
【請求項１２】
ヒト肝細胞成長因子活性化因子インヒビター−１、−１Ｂ、もしくは−２（ＨＡＩ−１、ＨＡＩ−１Ｂ、もしくはＨＡＩ−２）、又はその変異体の少なくとも一部分を含んでなる、請求項６に記載の分子。
【請求項１３】
前記部分が、ヘプシンによるプロＨＧＦの活性化を阻害することのできるＫｕｎｉｔｚドメイン（ＫＤ）配列を含んでなる、請求項１２に記載の分子。
【請求項１４】
Ｋｕｎｉｔｚドメイン（ＫＤ）配列が：
（ｉ）  ヒト肝細胞成長因子活性化因子インヒビター−１、−１Ｂ（ＨＡＩ−１、ＨＡＩ−１Ｂ）、もしくはその変異体の、Ｋｕｎｉｔｚドメイン１配列（ＫＤ−１）；あるいは、
（ｉｉ）ヒト肝細胞成長因子活性化因子インヒビター−２（ＨＡＩ−２）もしくはその変異体の、Ｋｕｎｉｔｚドメインの一つもしくは双方；
である、請求項１３に記載の分子。
【請求項１５】
ＨＧＦとの結合について、ヘプシンと競合する、請求項６に記載の分子。
【請求項１６】
ヘプシンとの結合について、プロＨＧＦと競合する、請求項６に記載の分子。
【請求項１７】
ヘプシンと結合することができるが、野生型ＨＧＦと比較してｃ−ｍｅｔ活性化活性が低減された変異ＨＧＦを含んでなる、請求項１６に記載の分子。
【請求項１８】
前記変異ＨＧＦが、ＨＧＦβ鎖の少なくとも一部分を欠く、請求項１７に記載の分子。
【請求項１９】
毒素と結合した、請求項６ないし１８の何れか一項に記載の分子。
【請求項２０】
請求項６ないし１８の何れか一項に記載の分子をコードする単離された核酸。
【請求項２１】
請求項２０に記載の核酸を含んでなるベクター。
【請求項２２】
請求項２０に記載の核酸もしくは請求項２１に記載のベクターを含んでなる宿主細胞。
【請求項２３】
請求項６ないし１８の何れか一項に記載の分子を製造する方法であって、該分子を発現することのできる宿主細胞中で、請求項２１に記載のベクターを発現させることを含む方法。
【請求項２４】
請求項６ないし１８の何れか一項に記載の分子と担体とを含む組成物。
【請求項２５】
担体が製薬学的に許容される担体である請求項２４に記載の組成物。
【請求項２６】
容器と、該容器に含まれる組成物とを含む製造品であって、該組成物は請求項６ないし１８の何れか一項に記載の分子を含む製造品。
【請求項２７】
対象におけるｃ−ｍｅｔの活性化と関連した病理状態の治療のための、請求項６ないし１８、又は２０の何れか一項に記載の分子。
【請求項２８】
対象におけるｃ−ｍｅｔの活性化と関連した病理状態の治療のための医薬の製造における、請求項６ないし１８、又は２０の何れか一項に記載の分子の使用。
【請求項２９】
前記状態が、癌、腫瘍、細胞増殖性疾患、免疫疾患もしくは血管形成関連疾患である、請求項２７に記載の分子、もしくは、請求項２８に記載の使用。
【請求項３０】
前記癌が、乳癌、大腸癌、肺癌、乳頭癌、結腸癌、膵臓癌、卵巣癌、子宮頸癌、中枢神経系癌、前立腺癌、骨肉腫、腎臓癌、肝細胞癌、膀胱癌、胃癌、頭頸部扁平上皮癌、メラノーマもしくは白血病である、請求項２９に記載の分子又は使用。
【手続補正書】
【提出日】平成20年6月11日(2008.6.11)
【手続補正１】
【補正対象書類名】特許請求の範囲
【補正対象項目名】全文
【補正方法】変更
【補正の内容】
【特許請求の範囲】
【請求項１】
組換えタンパク質の発現に適切な条件下で培地中で宿主細胞を培養するステップを含む、組換えタンパク質の作製方法であって、前記宿主細胞が、前記組換えタンパク質をコードする核酸配列を含み、前記宿主細胞が、アポトーシス阻害剤によって改変されていることを特徴とする、組換えタンパク質の作製方法。
【請求項２】
前記宿主細胞が、リンパ球、上皮細胞、間葉細胞、神経細胞、繊維芽細胞、グリア細胞、網膜細胞、グリオーマ細胞、ミエローマ細胞、悪性リンパ球、悪性上皮細胞、悪性間葉細胞、悪性神経細胞である、請求項１に記載の方法。
【請求項３】
前記骨髄腫細胞が、Ｓｐ２／０細胞もしくはその誘導体、マウスＮＳＯ細胞、ラットＹＢ２／０細胞、ＣＨＯ細胞、ＨＥＫ２９３細胞、ＣＯＳ−１細胞、又はＣＯＳ−７細胞である、請求項２に記載の方法。
【請求項４】
前記アポトーシス阻害剤が、前記宿主細胞により発現される異種タンパク質である、請求項１に記載の方法。
【請求項５】
前記異種タンパク質が、前記宿主細胞の染色体ＤＮＡに組み込まれた核酸配列によりコードされている請求項４に記載の方法。
【請求項６】
前記アポトーシス阻害剤が、乳頭腫ウイルスＥ６タンパク質、乳頭腫ウイルスＥ７タンパク質、乳頭腫ウイルスＥ６タンパク質とＥ７タンパク質の両者、又はＢｃｌ−２ファミリーからのアポトーシスインヒビターである、請求項４に記載の方法。
【請求項７】
前記アポトーシスインヒビターが、Ｂｃｌ−２、Ｂｃｌ−ｘＬ、Ｂｃｌ−ｗ、Ｂｃｌ−ＥＥＥ、Ｂｈｒｆ１、ＫＳ−Ｂｃｌ−２、Ｅ１Ｂ−１９Ｋ、Ｂｃｌ−６、およびＭｃｌ−１からなる群から選択される、請求項６に記載の方法。
【請求項８】
前記培地が、少なくとも１つのカスパーゼインヒビターをさらに含む、請求項１に記載の方法。
【請求項９】
前記カスパーゼインヒビターが、カスパーゼ−１インヒビター、カスパーゼ−３インヒビター、カスパーゼ−９インヒビター、カスパーゼ−１２インヒビター、ｐａｎ−カスパーゼインヒビター、Ｚ−ＶＡＤ−ｆｍｋ、Ａｃ−ＤＥＶＯ−ｃｈｏ（配列番号７）、Ａｖｅｎ及びＸＩＡＰからなる群から選択される、請求項８に記載の方法。
【請求項１０】
前記培地が、アポトーシスを阻害し、および／または細胞保護剤として機能する外因的に添加した薬剤をさらに含む、請求項１に記載の方法。
【請求項１１】
前記外因性薬剤が、サイトカインＩ型スーパーファミリーのメンバー及びエリスロポエチンからなる群から選択される、請求項１０に記載の方法。
【請求項１２】
前記組換えタンパク質が、免疫グロブリン、ペプチド、酵素、成長因子、ホルモン、ワクチン、リンフォカイン、およびサイトカインからなる群から選択される、請求項１に記載の方法。
【請求項１３】
前記組換えタンパク質が、抗体、抗体フラグメント、多重特異性抗体、一本鎖抗体、エリスロポエチン、Ｇ−ＣＳＦ、ＧＭ−ＣＳＦ、ＥＧＦ、ＶＥＧＦ、トロンボポエチン、ＩＬ−１〜ＩＬ−３１、αインターフェロン、βインターフェロン、γインターフェロン、およびコンセンサスインターフェロンからなる群から選択される、請求項１２に記載の方法。
【請求項１４】
アポトーシスを阻害する組換えタンパク質をコードする外因性の核酸配列を含む宿主細胞。
【請求項１５】
アポトーシスを阻害する前記組換えタンパク質が、乳頭腫ウイルスＥ６タンパク質、乳頭腫ウイルスＥ７タンパク質、およびアポトーシスインヒビターのＢｃｌ−２ファミリー、Ｂｃｌ−２、Ｂｃｌ−ｘＬ、Ｂｃｌ−ｗ、Ｂｃｌ−ＥＥＥ、Ｂｈｒｆ１、ＫＳ−Ｂｃｌ−２、Ｅ１Ｂ−１９Ｋ、Ｂｃｌ−６、およびＭｃｌ−１からなる群から選択される請求項１４に記載の宿主細胞。
【請求項１６】
Ｓｐ−Ｅ２６又はＳｐ−ＥＥＥである請求項１４に記載の宿主細胞。
【請求項１７】
目的の組換えタンパク質をコードする核酸配列をさらに含む、請求項１４に記載の宿主細胞。
【請求項１８】
前記組換えタンパク質が、免疫グロブリン、ペプチド、酵素、成長因子、ホルモン、ワクチン、リンフォカイン、およびサイトカインからなる群から選択される、請求項１７に記載の宿主細胞。
【請求項１９】
細胞培養物の寿命が、アポトーシス阻害剤により改変されていない宿主細胞と比較して、少なくとも２日、少なくとも４日、又は少なくとも６日増加する、請求項１に記載の方法。
【手続補正書】
【提出日】平成20年5月23日(2008.5.23)
【手続補正１】
【補正対象書類名】明細書
【補正対象項目名】０００４
【補正方法】変更
【補正の内容】
【０００４】
英国特許第２１０７８１４号明細書（特許文献２）から波形管用の連結管継手の別の実施態様が知られている。この場合には、連結管継手と波形管は弾性材料から成り、それにより両方が弾性的に変形できる。連結管継手には中空空間が設けられ、その外面には循環するリブが配置されていて、これらリブは波形管表面におけるリブに一致する。連結管継手への波形管端の一体挿入によって波形管表面におけるリブが互い内に係合し、波形管の端部は材料の弾性の結果として連結管継手の中空空間に保持されて同時に密封されている。この連結は簡単な形式に組み立てられるけれども、長手方向に僅かな引き裂き力しかを受けない。それ故に、この連結は僅かに負荷された連結に適している。さらに、波形管の屈曲或いは屈折の際に連結の領域では連結管継手が変形されて、それによって波形管表面と中空空間の間に密封作用を向上させる開口が発生する危険が生じる。
欧州特許出願公開第４９９８８５号明細書（特許文献３）から波形管用の別の連結管継手が知られている。
【特許文献１】スイス特許第６４５４４８号明細書
【特許文献２】英国特許第２１０７８１４号明細書
【特許文献３】欧州特許出願公開第４９９８８５号明細書
【手続補正書】
【提出日】平成20年2月28日(2008.2.28)
【手続補正１】
【補正対象書類名】特許請求の範囲
【補正対象項目名】全文
【補正方法】変更
【補正の内容】
【特許請求の範囲】
【請求項１】
宿主用の抗体を選択する方法であって、前記抗体は、前記宿主におけるヒト抗ヒト抗体(HAHA)応答を誘発する確率が低下しており、以下の工程：
候補抗体の可変ドメインの一部をコードする候補免疫グロブリン遺伝子の同定物を準備する工程、
前記候補抗体を受容することになっている宿主の宿主免疫グロブリン遺伝子の同定物を準備する工程、
前記候補免疫グロブリン遺伝子の同定物を前記宿主免疫グロブリン遺伝子の同定物と比較する工程、および
前記候補免疫グロブリン遺伝子の同定物が前記宿主免疫グロブリン遺伝子の同定物と同じ場合に前記候補抗体を選択し、それによってHAHA応答を誘発する確率が低下している、前記宿主用の抗体を選択する工程、
を含む方法。
【請求項２】
前記候補抗体の1種以上の免疫グロブリン遺伝子を準備、比較、および選択する工程の反復をさらに含む、請求項1に記載の方法。
【請求項３】
前記候補抗体のあらゆる免疫グロブリンV遺伝子を準備、比較、および選択する工程の反復をさらに含む、請求項1に記載の方法。
【請求項４】
前記候補免疫グロブリン遺伝子および前記宿主免疫グロブリン遺伝子がV遺伝子である、請求項1に記載の方法。
【請求項５】
前記V遺伝子がVH(重鎖)遺伝子である、請求項4に記載の方法。
【請求項６】
前記V遺伝子がVL(軽鎖)遺伝子である、請求項4に記載の方法。
【請求項７】
前記候補免疫グロブリン遺伝子および前記宿主免疫グロブリン遺伝子がD遺伝子である、請求項1に記載の方法。
【請求項８】
前記候補免疫グロブリン遺伝子および前記宿主免疫グロブリン遺伝子がJ遺伝子である、請求項1に記載の方法。
【請求項９】
前記宿主V遺伝子が、前記宿主で転写される宿主免疫グロブリン遺伝子から選択される、請求項4に記載の方法。
【請求項１０】
前記宿主V遺伝子が、前記宿主で翻訳される宿主免疫グロブリン遺伝子から選択される、請求項4に記載の方法。
【請求項１１】
前記候補免疫グロブリン遺伝子がすべての宿主免疫グロブリン遺伝子と異なる場合に、前記候補抗体を、前記宿主においてHAHA応答を誘発する可能性が高いと判定する、請求項1に記載の方法。
【請求項１２】
前記候補免疫グロブリン遺伝子がVH3−9、VH3−13、またはVH3−64遺伝子である場合に、前記候補抗体を、前記宿主においてHAHA応答を誘発する可能性が高いと判定する、請求項11に記載の方法。
【請求項１３】
抗体を選択する方法であって、
ある抗体の可変ドメインの一部をコードする遺伝子が特定のヒト集団に出現する頻度を測定する工程、および
頻度の関数として前記抗体を選択し、それによって前記抗体がヒト宿主内でヒト抗ヒト抗体応答を誘導する危険性を低下させる工程、
を含む方法。
【請求項１４】
前記頻度が、前記集団の少なくとも80%である、請求項13に記載の方法。
【請求項１５】
前記頻度が、前記集団の少なくとも99%である、請求項13に記載の方法。
【請求項１６】
前記頻度が、前記集団の100%である、請求項13に記載の方法。
【請求項１７】
抗体に対するヒト抗ヒト抗体（HAHA）応答の存在または不在を判定する方法であって、
ヒト抗体を第一のトランスジェニックマウスへ投与する工程（ここで、前記第一のトランスジェニックマウスには、前記第一のトランスジェニックマウスが複数のヒト抗体を産生できるように、ヒト抗体の可変ドメインの一部をコードするヒト遺伝子が含まれている）、および
前記ヒト抗体が、前記第一のトランスジェニックマウスにおいてHAHA応答を誘発するかどうかを観測し、それによってHAHA応答の存在または不在を判定する工程、
を含む方法。
【請求項１８】
前記複数のヒト抗体が、完全ヒト抗体である、請求項17に記載の方法。
【請求項１９】
前記抗体がHAHA応答を誘発するかどうかを観測する工程が、前記第一のトランスジェニックマウスから得た血液試料に、前記投与ヒト抗体に結合できる抗体が存在するかどうか試験することを含む、請求項17に記載の方法。
【請求項２０】
前記第一のトランスジェニックマウスが、ヒト抗体の可変ドメインの一部をコードする危険性の高い遺伝子を本質的に含まない、請求項17に記載の方法。
【請求項２１】
前記第一のトランスジェニックマウスが、本質的に、ヒト抗体の可変ドメインの一部をコードする危険性の低い遺伝子からなる、請求項17に記載の方法。
【請求項２２】
前記第一のトランスジェニックマウスに投与する工程が、第一の投与計画で行われ、かつ以下の工程：
第二の投与計画を用いて第二のトランスジェニックマウスに前記投与抗体を投与する工程（ここで、前記第二のトランスジェニックマウスには、前記第二のトランスジェニックマウスが複数のヒト抗体を産生するように、ヒト抗体の可変領域の一部をコードするヒト遺伝子が含まれている）、および
前記第二のトランスジェニックマウスにおいてHAHA応答の存在または不在を判定する工程、
をさらに含む、請求項17に記載の方法。
【請求項２３】
前記第一のトランスジェニックマウスに投与する工程が、アジュバントを用いて行われる、請求項17に記載の方法。
【請求項２４】
前記第一のトランスジェニックマウスに投与する工程が、静脈内で行われ、かつ以下の工程：
第二のトランスジェニックマウスに前記投与ヒト抗体を皮下投与する工程（ここで、前記第二のトランスジェニックマウスには、前記第二のトランスジェニックマウスが複数のヒト抗体を産生するように、ヒト抗体の可変ドメインの一部をコードするヒト遺伝子が含まれている）、および
前記第二のトランスジェニックマウスにおいてHAHA応答の存在または不在を判定する工程、
をさらに含む、請求項17に記載の方法。
【請求項２５】
前記トランスジェニックマウスの体細胞および生殖細胞のすべてに、D遺伝子と、J遺伝子と、前記ヒト免疫グロブリン重鎖のC−デルタ遺伝子座全体を含む定常領域遺伝子とを通して続く、最も近位の5つのVH遺伝子に由来する、ヒト第14染色体のDNA断片（ここで、前記断片は、C−ガンマ遺伝子を含有せず、ヒトC−ガンマ−2領域遺伝子と作用可能に連結している）が含まれている、請求項17に記載の方法。
【手続補正書】
【提出日】平成20年7月7日(2008.7.7)
【手続補正１】
【補正対象書類名】特許請求の範囲
【補正対象項目名】全文
【補正方法】変更
【補正の内容】
【特許請求の範囲】
【請求項１】
複数の専用チャネル媒体アクセス制御（ＭＡＣ−ｄ）フローを、１つのエンハンストアップリンク媒体アクセス制御（ＭＡＣ−ｅ）プロトコルデータユニット（ＰＤＵ）に多重化するための、無線送受信ユニット（ＷＴＲＵ：Wireless Transmit/Receive Unit）内で実施される方法であって、
少なくとも１つの論理チャネルを介して、送信データを受信するステップと、
前記送信データを、少なくとも１つのＭＡＣ−ｄフローに多重化するステップと、
ＭＡＣ−ｄフローの許容組合せ（allowed combination）のセットの中から、ＭＡＣ−ｄフローの１つの組合せを選択するステップと、
該選択したＭＡＣ−ｄフローの許容組合せにしたがって、前記ＭＡＣ−ｄフローを１つのＭＡＣ−ｅ  ＰＤＵに多重化するステップと、
物理層処理のために、前記ＭＡＣ−ｅ  ＰＤＵを、エンハンストアップリンクトランスポートチャネル（ＥＵ  ＴｒＣＨ：Enhanced Uplink Transport CHannel）を介して、物理層に転送するステップと
を備えることを特徴とする方法。
【請求項２】
前記ＭＡＣ−ｄフローの許容組合せのセットは、標準規格によって定められる
ことを特徴とする請求項１に記載の方法。
【請求項３】
各前記ＭＡＣ−ｄフローの許容組合せは、サービス品質（ＱｏＳ：Quality of Service）要件に関連付けられている
ことを特徴とする請求項１に記載の方法。
【請求項４】
送信時間間隔（ＴＴＩ：Transmit Time Interval）当たりの、１つのＭＡＣ−ｅ  ＰＤＵに多重化できる所定のＭＡＣ−ｄフローからのＰＤＵの数が設定される
ことを特徴とする請求項１に記載の方法。
【請求項５】
前記ＴＴＩ当たりの前記ＰＤＵの数は、保証ビットレートに対応する
ことを特徴とする請求項４に記載の方法。
【請求項６】
前記ＭＡＣ−ｄフローの許容組合せのセットは、ＭＡＣ−ｄフローに対する少なくとも１つのＰＤＵを含む
ことを特徴とする請求項４に記載の方法。
【請求項７】
前記ＭＡＣ−ｄフローの許容組合せのセットは、常に１つのＭＡＣ−ｄフローについて可能な最小のペイロードを含み、該１つのＭＡＣ−ｄフロー以外のＭＡＣ−ｄフローについてのデータは含まない
ことを特徴とする請求項４に記載の方法。
【請求項８】
１つのＭＡＣ−ｄフローについて可能な最小のペイロードを含み、該１つのＭＡＣ−ｄフロー以外のＭＡＣ−ｄフローについてのデータは含まない前記ＭＡＣ−ｄフローの許容組合せのセットは、前記ＷＴＲＵが、電力が制限された状態にある場合に、送信することが許容される
ことを特徴とする請求項７に記載の方法。
【請求項９】
１つのＭＡＣ−ｅ  ＰＤＵに組み合わせることができる所定のＭＡＣ−ｄフローのデータレートが設定される
ことを特徴とする請求項１に記載の方法。
【請求項１０】
１つのＭＡＣ−ｅ  ＰＤＵへの前記組み合わせは、保証ビットレートを提供するために使用される
ことを特徴とする請求項９に記載の方法。
【請求項１１】
１つのＭＡＣ−ｅ  ＰＤＵへの前記組み合わせは、ノードＢからチャネル割り当てを要求することなく、送信することが許容される
ことを特徴とする請求項１０に記載の方法。
【請求項１２】
各前記ＭＡＣ−ｄフローのデータレートは、互いにマッチングされる
ことを特徴とする請求項９に記載の方法。
【請求項１３】
各前記ＭＡＣ−ｄフローが優先度に関連付けられることによって、優先度が低いＭＡＣ−ｄフローが処理される前に、優先度が高いＭＡＣ−ｄフローが処理される
ことを特徴とする請求項１に記載の方法。
【請求項１４】
優先度が低いＭＡＣ−ｄフローを回避するために、重みメカニズムが各前記ＭＡＣ−ｄフローに適用される
ことを特徴とする請求項１３に記載の方法。
【請求項１５】
前記ＷＴＲＵが、前記ＭＡＣ−ｄフローの許容組合せの状態を継続的にモニタリングすることによって、前記ＭＡＣ−ｅは、前記ＭＡＣ−ｄフローの許容組合せの前記状態に応じて、１つのＭＡＣ−ｄフローの組合せを選択する
ことを特徴とする請求項１に記載の方法。
【請求項１６】
ＭＡＣ−ｄフローの組合せに関する送信電力要件が、ＥＵに関する残存電力を超えた場合、該ＭＡＣ−ｄフローの組合せは、前記ＭＡＣ−ｄフローの許容組合せのセットから除外される
ことを特徴とする請求項１５に記載の方法。
【請求項１７】
除外されたＭＡＣ−ｄフローの組合せに関する送信電力要件が、ＥＵに関する残存電力を下回った場合、該ＭＡＣ−ｄフローの組合せは、前記ＭＡＣ−ｄフローの許容組合せのセットに戻される
ことを特徴とする請求項１６に記載の方法。
【請求項１８】
前記ＭＡＣ−ｄフローの許容組合せの中から、組合せの最小セットを定義することによって、前記ＷＴＲＵには、送信電力が制限されている場合でも、前記組合せの最小セットを送信する能力が常に提供される
ことを特徴とする請求項１に記載の方法。
【請求項１９】
前記最小セットは、各ＭＡＣ−ｄフローについて、各該ＭＡＣ−ｄフローからの１つのＰＤＵが含まれ、該ＭＡＣ−ｄフロー以外のＭＡＣ−ｄフローについてのデータは含まれないような組合せのセットとして定義される
ことを特徴とする請求項１８に記載の方法。
【請求項２０】
前記最小セットは、１つのＭＡＣ−ｄフローについて可能な最小のペイロードが提供され、該１つのＭＡＣ−ｄフロー以外のＭＡＣ−ｄフローについてのデータは提供されないように定義される
ことを特徴とする請求項１８に記載の方法。
【請求項２１】
前記ＷＴＲＵが、電力が制限された状態にある場合に、電力が制限された状態にあるという指示をノードＢに送信するステップ
をさらに備えることを特徴とする請求項１に記載の方法。
【請求項２２】
前記指示は、シグナリングメッセージを用いて明示的に送信される
ことを特徴とする請求項２１に記載の方法。
【手続補正書】
【提出日】平成20年6月11日(2008.6.11)
【手続補正１】
【補正対象書類名】特許請求の範囲
【補正対象項目名】全文
【補正方法】変更
【補正の内容】
【特許請求の範囲】
【請求項１】
無線ネットワークでデータを送受信する方法であって、前記方法は、
高速ステーションで、第１及び第２の隣接するチャネルのチャネルボンディングにより形成された結束されたチャネルを介し第１のデータを送信する段階、及び
前記高速ステーションで、前記第１及び第２の隣接するチャネルのそれぞれを介しレガシー形式の第２のデータを受信する段階、を有し、
前記第２のデータは、前記第１のデータに応答するレガシー形式の応答（ＡＣＫ）フレームである、方法。
【請求項２】
前記無線ネットワークはＩＥＥＥ８０２．１１ｎに従う、請求項１記載の方法。
【請求項３】
前記レガシー形式はＩＥＥＥ８０２．１１ａ、ＩＥＥＥ８０２．１１ｂ、又はＩＥＥＥ８０２．１１ｇに従う、請求項１記載の方法。
【請求項４】
前記第１及び第２のデータは同時に且つ別個に送信される、請求項１記載の方法。
【請求項５】
無線ネットワークの無線ネットワーク装置であって、
第１及び第２の隣接するチャネルのチャネルボンディングにより形成される結束されたチャネルを介し第１のデータを送信する送信部、及び
前記第１及び第２の隣接するチャンネルのそれぞれを介しレガシー形式の第２のデータを受信する受信部、を有し、
前記第２のデータは、前記第１のデータに応答するレガシー形式の応答（ＡＣＫ）フレームであり、
前記装置は高速ステーションである、無線ネットワーク装置。
【請求項６】
前記無線ネットワークはＩＥＥＥ８０２．１１ｎに従う、請求項５記載の無線ネットワーク装置。
【請求項７】
前記レガシー形式はＩＥＥＥ８０２．１１ａ、ＩＥＥＥ８０２．１１ｂ、又はＩＥＥＥ８０２．１１ｇに従う、請求項５記載の無線ネットワーク装置。
【請求項８】
前記第１及び第２のデータは同時に且つ別個に送信される、請求項５記載の無線ネットワーク装置。
【手続補正書】
【提出日】平成20年3月7日(2008.3.7)
【手続補正１】
【補正対象書類名】特許請求の範囲
【補正対象項目名】全文
【補正方法】変更
【補正の内容】
【特許請求の範囲】
【請求項１】
ａ．組成物の質量に対して０〜２０％の糖質甘味料、及び／又は組成物の質量に対して０〜３％の人工甘味料を任意で含む、少なくとも０．１質量％の１又は２以上のフレーバー物質と、
ｂ．化学式（Ｉ）の物質、
（Ｉ）ＣＨ２ＯＨ−（ＣＨＯＨ）４−ＣＯ−ＮＨ−ＣＨ２−ＣＨ２−Ｘ
（式中、Ｘは、−ＯＨ、−Ｏ（ＣＯ）Ｒ、−ＯＰＯ３Ｈ２、−ＰＯ３Ｈ２、−ＯＳＯ３Ｈ、又は−ＳＯ３Ｈであり、Ｒは、少なくとも１つのカルボン酸基を含むＣ２−Ｃ１０基である）
及びその食用塩からなる群から選択される、０．００１〜９５質量％の１又は２以上の風味改良物質、とを含むフレーバー組成物であり、
前記フレーバー組成物がＮ−グルコニルエタノールアミン又はその塩を含む場合の風味改良物質とフレーバー物質との質量比が５０：１未満であることを特徴とする、フレーバー組成物。
【請求項２】
風味改良物質とフレーバー物質との質量比が１：１００から１０：１の範囲内であることを特徴とする、請求項１記載のフレーバー組成物。
【請求項３】
組成物が、Ｎ−グルコニルエタノールアミンと人工甘味料とを含む場合に、Ｎ−グルコニルエタノールアミンと人工甘味料との質量比が、５０：１未満、好ましくは２０：１未満であることを特徴とする、請求項１又は２記載のフレーバー組成物。
【請求項４】
風味改良物質を０．０１〜９０質量％、好ましくは０．１〜２５質量％の量で含むことを特徴とする、請求項１〜３のいずれか記載のフレーバー組成物。
【請求項５】
１〜９５質量％のフレーバー物質を含むことを特徴とする、請求項１〜４のいずれか記載のフレーバー組成物。
【請求項６】
Ｘが、−ＯＨ、−ＯＰＯ３Ｈ２、−ＰＯ３Ｈ２、−ＯＳＯ３Ｈ、又は−ＳＯ３Ｈを表わすことを特徴とする、請求項１〜５のいずれか記載のフレーバー組成物。
【請求項７】
化学式（Ｉ）で表される物質、
（Ｉ）ＣＨ２ＯＨ−（ＣＨＯＨ）４−ＣＯ−ＮＨ−ＣＨ２−ＣＨ２−Ｘ
（式中、Ｘは、−Ｏ（ＣＯ）Ｒ、−ＯＰＯ３Ｈ２、−ＰＯ３Ｈ２、−ＯＳＯ３Ｈ、又は−ＳＯ３Ｈであり、Ｒは少なくとも１つのカルボン酸基を含むＣ２−Ｃ１０基である）、及びその食用塩。
【請求項８】
Ｘが、−ＯＰＯ３Ｈ２、−ＰＯ３Ｈ２、−ＯＳＯ３Ｈ、又は−ＳＯ３Ｈを表わすことを特徴とする、請求項７記載の物質。
【請求項９】
物質が、Ｎ−グルコニルエタノールアミンリン酸又はその食用塩であることを特徴とする、請求項８記載の物質。
【請求項１０】
食料品、飲料、医薬品、タバコ製品、及びオーラルケア製品の風味を改良するための、請求項１に定義される、１又は２以上の風味改良物質の使用。
【請求項１１】
食料品、飲料、医薬品、タバコ製品、及びオーラルケア製品の風味を改良するための、請求項７に定義される、１又は２以上の風味改良物質の使用。
【請求項１２】
食料品、飲料、医薬品、タバコ製品、及びオーラルケア製品の風味を改良するための方法で、化学式（Ｉ）で表される物質及びその食用塩からなる群より選択される１又は２以上の風味改良物質を、０．１〜１０，０００ｐｐｍ、好ましくは１〜５，０００ｐｐｍの間の量で前記製品に添加することを含む方法。
【請求項１３】
１又は２以上の請求項１に定義される風味改良物質を、０．１〜１０，０００ｐｐｍ、好ましくは１〜５，０００ｐｐｍの間の量を含むことを特徴とする、食料品、飲料、医薬品、タバコ製品、及びオーラルケア製品からなる群より選択される製品。
【請求項１４】
１又は２以上のフレーバー物質を、５〜２０，０００ｐｐｍの量でさらに含み、風味改良物質とフレーバー物質との質量比が５０：１未満であることを特徴とする、請求項１３記載の製品。
【請求項１５】
製品が、Ｎ−グルコニルエタノールアミン又はその食用塩を含む場合に、風味改良物質と糖質甘味料との質量比が、１：１を超えることなく、風味改良物質と人工甘味料との質量比が、５０：１未満であることを特徴とする、甘味料をさらに含む請求項１３又は１４記載の製品。
【手続補正書】
【提出日】平成20年6月18日(2008.6.18)
【手続補正１】
【補正対象書類名】特許請求の範囲
【補正対象項目名】全文
【補正方法】変更
【補正の内容】
【特許請求の範囲】
【請求項１】
癌を処置するための組成物であって、
治療的に有効な量のＴＬＲリガンドを含む、組成物。
【請求項２】
前記リガンドがアゴニストまたはアンタゴニストである、請求項１に記載の組成物。
【請求項３】
腫瘍細胞のアポトーシスを誘導するための組成物であって、
該細胞においてアポトーシスを誘導するのに有効な量のＴＬＲリガンドを含む、組成物。
【請求項４】
前記リガンドがアゴニストまたはアンタゴニストである、請求項３に記載の組成物。
【請求項５】
ＴＬＲ３を発現する癌を処置するための組成物であって、
治療的に有効な量のＴＬＲ３リガンドを含む、組成物。
【請求項６】
前記リガンドがアゴニストまたはアンタゴニストである、請求項５に記載の組成物。
【請求項７】
前記アゴニストがポリＩＣである、請求項６に記載の組成物。
【請求項８】
前記アゴニストがポリＡＵである、請求項６に記載の組成物。
【請求項９】
前記アンタゴニストが抗体またはその断片である、請求項６に記載の組成物。
【請求項１０】
前記ＴＬＲ３を発現する癌が乳癌である、請求項５に記載の組成物。
【請求項１１】
前記ＴＬＲ３を発現する癌が大腸癌である、請求項５に記載の組成物。
【請求項１２】
前記組成物が、化学療法剤または癌処置と組み合わせて投与されるのに適している、請求項５に記載の組成物。
【請求項１３】
前記組成物が、低用量のＩ型ＩＦＮと組み合わせて投与されるのに適している、請求項５に記載の組成物。
【請求項１４】
ＴＬＲ３を発現する腫瘍細胞のアポトーシスを誘導するための組成物であって、
該細胞においてアポトーシスを誘導するのに有効な量のＴＬＲ３リガンドを含む、組成物。
【請求項１５】
前記リガンドがアゴニストまたはアンタゴニストである、請求項１４に記載の組成物。
【請求項１６】
前記アゴニストがポリＩＣである、請求項１５に記載の組成物。
【請求項１７】
前記アゴニストがポリＡＵである、請求項１５に記載の組成物。
【請求項１８】
前記アンタゴニストが抗体またはその断片である、請求項１５に記載の組成物。
【請求項１９】
前記ＴＬＲ３を発現する腫瘍細胞が乳癌細胞である、請求項１４に記載の組成物。
【請求項２０】
前記ＴＬＲ３を発現する腫瘍細胞が大腸癌細胞である、請求項１４に記載の組成物。
【請求項２１】
前記組成物が、化学療法剤または癌処置と組み合わせて投与されるのに適している、請求項１４に記載の組成物。
【請求項２２】
前記組成物が、低用量のＩ型ＩＦＮと組み合わせて投与されるのに適している、請求項１４に記載の組成物。
【請求項２３】
前記アゴニストが、抗体またはその断片である、請求項６に記載の組成物。
【請求項２４】
前記アゴニストが、抗体またはその断片である、請求項１４に記載の組成物。
【手続補正書】
【提出日】平成20年7月18日(2008.7.18)
【手続補正１】
【補正対象書類名】特許請求の範囲
【補正対象項目名】全文
【補正方法】変更
【補正の内容】
【特許請求の範囲】
【請求項１】
炎症または癌を診断するための組成物であって、該組成物は、腫瘍細胞の表面のサイトカインレセプターに優先的に結合する標識抗体の有効量を含み、該組成物は、該サイトカインレセプターの可溶性形態の血液レベルが上昇している患者に投与されるのに適しており、該結合した標識抗体は、該患者を画像化することにより検出されることが意図される、組成物。
【請求項２】
前記抗体は、ヒト化モノクローナル抗体である、請求項１に記載の組成物。
【請求項３】
前記サイトカインレセプターが、可溶性腫瘍壊死因子レセプター（「ｓＴＮＦ−Ｒ」）、可溶性インターロイキン−２レセプター（「ｓＩＬ−２Ｒ」）、可溶性インターロイキン−１レセプター（「ｓＩＬ−１Ｒ」）、可溶性インターロイキン−６レセプター（「ｓＩＬ−６Ｒ」）、可溶性インターフェロン−γレセプター（「ｓＩＦＮ−γＲ」）、および可溶性インターロイキン−１２レセプター（ｓＩＬ−１２Ｒ）からなる群より選択される、請求項１に記載の組成物。
【請求項４】
前記抗体が、Ｉ１２５、Ｉ１２３およびＩ１３１からなる群より選択される標識で標識される、請求項１に記載の組成物。
【請求項５】
前記患者が癌を有する、請求項１に記載の組成物。
【請求項６】
前記患者が自己免疫疾患を有する、請求項１に記載の組成物。
【請求項７】
前記患者が、慢性感染症または急性感染症を有する、請求項１に記載の組成物。
【請求項８】
静脈内投与のための薬学的に受容可能なキャリア中の、患者において癌または炎症を画像化するためのサイトカインまたはサイトカインレセプターに対する標識ヒト化モノクローナル抗体または標識結合リガンドの有効投薬量を備える、キット。
【請求項９】
コントロールとして使用するための非標識抗体またはリガンドをさらに備える、請求項８に記載のキット。
【請求項１０】
添付文書中の指示をさらに備える、請求項８に記載のキット。
【請求項１１】
炎症または癌を診断するための組成物であって、該組成物は、バックグラウンド可溶性レセプターに結合させるための、腫瘍細胞によって産生される可溶性サイトカインレセプターに結合する未標識抗体を含み、該組成物は、腫瘍細胞の表面の該サイトカインレセプターに結合する標識抗体の有効量の投与の前に投与されることが意図されており、該結合した標識抗体は、該患者を画像化することにより検出されることが意図される、組成物。
【請求項１２】
前記サイトカインレセプターがｓＴＮＦＲ１またはｓＴＮＦＲ２である、請求項１１に記載の組成物。
【請求項１３】
前記標識抗体が、５ｍｇの標識抗体の第２の注入の前に、０日目に静脈内投与されることが意図される放射標識抗体であり、ここで、全身画像が、該第２の注入の１時間後、２日後および４日後に記録されることが意図される、請求項１２に記載の組成物。
【請求項１４】
前記画像化が、標識抗体の投与の１時間後、２日後または４日後であることが意図される、請求項１または１１に記載の組成物。
【請求項１５】
前記標識抗体が、ＰＥＴを用いて検出されることが意図される、請求項１または１１に記載の組成物。
【請求項１６】
前記標識抗体が、ＭＲＩを用いて検出されることが意図される、請求項１または１１に記載の組成物。
【手続補正２】
【補正対象書類名】明細書
【補正対象項目名】０００４
【補正方法】変更
【補正の内容】
【０００４】
腫瘍壊死因子（ＴＮＦ）は、マクロファージによって産生される、前栄養性（ｐｉｒｏｔｒｏｐｈｉｃ）の炎症誘発性サイトカインである。ＴＮＦの量は、重要であり；多すぎる量は、悪液質および敗血症性ショックを引き起こし得る一方で、少なすぎる量は、感染および癌を許容し得る。身体の白血球は、癌細胞を認識し、その癌細胞に結合し（遮断／阻害されない場合）、そしてＴＮＦによってその癌細胞を殺傷する。この反応は、身体の外側（薬物、放射線、環境性の毒素）または身体の内側（細胞表面ＴＮＦレセプター（ｓＴＮＦ−Ｒ１およびｓＴＮＦ−Ｒ２）の腫瘍産生）のいずれかから、免疫抑制薬によって阻害される。正常な白血球の応答のインヒビター／遮断薬が、取り除かれ得る場合、免疫系は、影響を受けた細胞を攻撃し、そして殺傷し得る。
【手続補正書】
【提出日】平成20年5月9日(2008.5.9)
【手続補正１】
【補正対象書類名】特許請求の範囲
【補正対象項目名】全文
【補正方法】変更
【補正の内容】
【特許請求の範囲】
【請求項１】
20kDa hGH-Vまたは20kDa hGH-Vと実質的に同一のポリペプチドの、哺乳動物において成長ホルモンのレベルを予防または治療のために増大させるための医薬の製造における使用であって、前記哺乳動物が成長ホルモン治療と関連した有害な代謝的健康状態にあるまたはその発症の危険性のある哺乳動物である、前記使用。
【請求項２】
有害な代謝的健康状態が、成人発症型成長ホルモン欠損症、小児期発症型成長ホルモン欠損症、嚢胞性線維症、骨粗鬆症、骨格異形成、慢性腎不全、鬱病、記憶喪失、異化促進状態またはターナー症候群である、請求項１記載の使用。
【請求項３】
代謝的健康状態が真性糖尿病、肥満、プラダー・ウィリ症候群、代謝症候群、インスリン抵抗性、多嚢胞性卵巣症候群、リポジストロフィー、異脂肪血症、高血圧症、心筋不全、心筋梗塞、または心不全から選ばれる、請求項１または２記載の使用。
【請求項４】
20kDa hGH-Vまたは20kDa hGH-Vと実質的に同一のポリペプチドを産生することができる発現ベクターの、哺乳動物において成長ホルモンのレベルを予防または治療のために増大させるための医薬の製造における使用であって、前記哺乳動物が成長ホルモン治療と関連した有害な代謝的健康状態にあるまたはその発症の危険性のある哺乳動物である前記使用。
【請求項５】
有害な代謝的健康状態が、成人発症型成長ホルモン欠損症、小児期発症型成長ホルモン欠損症、嚢胞性線維症、骨粗鬆症、骨格異形成、慢性腎不全、鬱病、記憶喪失、異化促進状態またはターナー症候群である、請求項４記載の使用。
【請求項６】
代謝的健康状態が真性糖尿病、肥満、プラダー・ウィリ症候群、代謝症候群、インスリン抵抗性、多嚢胞性卵巣症候群、リポジストロフィー、異脂肪血症、高血圧症、心筋不全、心筋梗塞、または心不全から選ばれる、請求項４または５記載の使用。
【請求項７】
発現ベクターが宿主細胞中に存在する、請求項４〜６のいずれか１項記載の使用。
【請求項８】
成長ホルモン療法を必要とし糖尿病誘発性作用を有するか糖尿病誘発性作用が現れる危険性のある哺乳動物における、成長ホルモン療法に関連する糖尿病誘発性作用を減少させるための医薬の製造における20kDa hGH-Vの使用。
【請求項９】
20kDa hGH-Vを産生することができる複製可能なベクターを有する細胞によって20kDa hGH-Vが産生される、請求項８記載の使用。
【手続補正書】
【提出日】平成20年7月18日(2008.7.18)
【手続補正１】
【補正対象書類名】特許請求の範囲
【補正対象項目名】請求項１７
【補正方法】変更
【補正の内容】
【請求項１７】
約４００℃以下の固体／液体転移温度および約２００℃以上の液体範囲を有する二イオン液体塩を含む溶媒であって、架橋基によって分けられる２つの一イオン性基および２つの一イオン性対イオンまたは少なくとも１つの二イオン性対イオンのどちらかを含む溶媒。
【手続補正書】
【提出日】平成20年6月18日(2008.6.18)
【手続補正１】
【補正対象書類名】特許請求の範囲
【補正対象項目名】全文
【補正方法】変更
【補正の内容】
【特許請求の範囲】
【請求項１】
被験体における腫瘍成長または癌細胞の増殖を遮断するかまたは減少させるための組成物であって、
有効量の抗癌薬、および
有効量のアンジオポエチン様４タンパク質（ＡＮＧＰＴＬ４）アンタゴニスト
を含み、
該有効量の組み合わせによって該腫瘍成長または該癌細胞の増殖が遮断されるかまたは減少することを特徴とする、組成物。
【請求項２】
前記被験体がヒトである、請求項１に記載の組成物。
【請求項３】
前記抗癌薬が抗血管形成薬を含む、請求項１に記載の組成物。
【請求項４】
前記抗血管形成薬がＶＥＧＦアンタゴニストである、請求項３に記載の組成物。
【請求項５】
前記ＶＥＧＦアンタゴニストが抗ＶＥＧＦ抗体である、請求項４に記載の組成物。
【請求項６】
前記抗ＶＥＧＦ抗体がヒト化Ａ４．６．１である、請求項５に記載の組成物。
【請求項７】
前記ＡＮＧＰＴＬ４アンタゴニストが抗ＡＮＧＰＴＬ４抗体である、請求項１に記載の組成物。
【請求項８】
前記抗ＡＮＧＰＴＬ４抗体がＡＮＧＰＴＬ４（１８４〜４０６）に結合する、請求項７に記載の組成物。
【請求項９】
前記ＡＮＧＰＴＬ４アンタゴニストが抗αＶβ５抗体である、請求項１に記載の組成物。
【請求項１０】
前記抗体がヒト化抗体である、請求項５、請求項７、または請求項９に記載の組成物。
【請求項１１】
前記ＡＮＧＰＴＬ４アンタゴニストがＳｉＲＮＡ分子を含む、請求項１に記載の組成物。
【請求項１２】
前記ＳｉＲＮＡ分子がＡＮＧＰＴＬ４−ＳｉＲＮＡ分子である、請求項１１に記載の組成物。
【請求項１３】
前記ＡＮＧＰＴＬ４−ＳｉＲＮＡ分子が、ＡＮＧＰＴＬ４をコードする核酸のＤＮＡ配列をターゲティングし、該ＤＮＡ配列が、少なくともＧＴＧＧＣＣＡＡＧＣＣＴＧＣＣＣＧＡＡＧＡ（配列番号３）を含む、請求項１２に記載の組成物。
【請求項１４】
前記腫瘍または前記癌細胞への投与に適している第３の抗癌薬をさらに含む、請求項１に記載の組成物。
【請求項１５】
前記第３の抗癌薬が化学療法薬である、請求項１４に記載の組成物。
【請求項１６】
前記第３の抗癌薬が別の血管形成インヒビターである、請求項１４に記載の組成物。
【請求項１７】
腫瘍成長または癌細胞の増殖を遮断するかまたは減少させるためのインビトロまたはエキソビボでの方法であって、
ａ）有効量の抗癌薬を該腫瘍または該癌細胞に投与する工程、および
ｂ）有効量のアンジオポエチン様４タンパク質（ＡＮＧＰＴＬ４）アンタゴニストを該腫瘍または該癌細胞に投与する工程、
を包含し、
該有効量の組み合わせによって該腫瘍成長または該癌細胞の増殖が遮断されるかまたは減少することを特徴とする、方法。
【請求項１８】
被験体における腫瘍成長または癌細胞の増殖を遮断するかまたは減少させるための組成物であって、
有効量の抗血管形成薬および
有効量のアンジオポエチン様４タンパク質（ＡＮＧＰＴＬ４）アンタゴニスト
を含み、
該有効量の組み合わせによって該腫瘍成長または該癌細胞の増殖が遮断されるかまたは減少することを特徴とする、組成物。
【請求項１９】
さらなる薬剤をさらに含み、該さらなる薬剤が抗癌薬である、請求項１８に記載の組成物。
【請求項２０】
被験体における腫瘍成長の再発または癌細胞増殖の再発を遮断するかまたは減少させるための組成物であって、
有効量のアンジオポエチン様４（ＡＮＧＰＴＬ４）アンタゴニスト
を含み、該被験体は、抗癌薬での癌治療を受けていたかまたは同時に受けており、
該被験体への投与に適した該有効量のＡＮＧＰＴＬ４アンタゴニストにより、該腫瘍成長の再発または癌細胞増殖の再発が遮断されるかまたは減少することを特徴とする、組成物。
【請求項２１】
前記抗癌薬が１つまたは複数の化学療法薬である、請求項２０に記載の組成物。
【請求項２２】
前記抗癌薬が抗血管形成薬を含む、請求項２０に記載の組成物。
【請求項２３】
前記抗血管形成薬が抗ＶＥＧＦインヒビターを含む、請求項２２に記載の組成物。
【請求項２４】
前記抗ＶＥＧＦインヒビターが抗ＶＥＧＦ抗体である、請求項２３に記載の組成物。
【請求項２５】
前記抗ＶＥＧＦ抗体がヒト化Ａ４．６．１である、請求項２３に記載の組成物。
【請求項２６】
前記ＡＮＧＰＴＬ４アンタゴニストが抗ＡＮＧＰＴＬ４抗体である、請求項２０に記載の組成物。
【請求項２７】
前記ＡＮＧＰＴＬ４アンタゴニストが抗αＶβ５抗体である、請求項２０に記載の組成物。
【請求項２８】
前記抗体がヒト化抗体である、請求項２４、請求項２６、または請求項２７に記載の組成物。
【請求項２９】
前記ＡＮＧＰＴＬ４アンタゴニストがＳｉＲＮＡ分子を含む、請求項２０に記載の組成物。
【請求項３０】
前記ＳｉＲＮＡ分子がＡＮＧＰＴＬ４−ＳｉＲＮＡ分子である、請求項２９に記載の組成物。
【請求項３１】
前記ＡＮＧＰＴＬ４−ＳｉＲＮＡ分子が、ＡＮＧＰＴＬ４をコードする核酸のＤＮＡ配列をターゲティングし、前記ＤＮＡ配列が、少なくともＧＴＧＧＣＣＡＡＧＣＣＴＧＣＣＣＧＡＡＧＡ（配列番号３）を含む、請求項３０に記載の組成物。
【請求項３２】
さらなる薬剤をさらに含み、該さらなる薬剤が抗癌薬である、請求項２０に記載の組成物。
【請求項３３】
被験体における腫瘍成長または癌細胞の増殖を遮断するかまたは減少させるための組成物であって、
有効量のアンジオポエチン様４（ＡＮＧＰＴＬ４）アンタゴニスト
を含み、該抗ＡＮＧＰＴＬ４アンタゴニストは、ＡＮＧＰＴＬ４（１８４〜４０６）に結合する抗体であり、
該有効量によって、該被験体における該腫瘍成長または該癌細胞の増殖が遮断されるかまたは減少することを特徴とする、組成物。
【請求項３４】
前記被験体がヒトである、請求項３３に記載の組成物。
【請求項３５】
ＡＮＧＰＴＬ４（１８４〜４０６）に結合する抗体および
ＶＥＧＦアンタゴニスト
を含む組成物。
【請求項３６】
ＡＮＧＰＴＬ４−ＳｉＲＮＡ分子を含む組成物であって、
該ＡＮＧＰＴＬ４−ＳｉＲＮＡ分子が、ＡＮＧＰＴＬ４をコードする核酸のＤＮＡ配列をターゲティングし、
該ＤＮＡ配列が、少なくともＧＴＧＧＣＣＡＡＧＣＣＴＧＣＣＣＧＡＡＧＡ（配列番号３）を含む、
組成物。
【請求項３７】
第１の量の抗血管形成薬、
第２の量のアンジオポエチン様４（ＡＮＧＰＴＬ４）薬、および
薬学的に受容可能なキャリア、賦形剤または希釈剤、ならびに
容器
を含むキット。
【請求項３８】
第１の単位投薬形態の一定量の抗血管形成薬および薬学的に受容可能なキャリア、賦形剤、または希釈剤；
第２の単位投薬形態の一定量のアンジオポエチン様４（ＡＮＧＰＴＬ４）アンタゴニストおよび薬学的に受容可能なキャリア、賦形剤、または希釈剤；ならびに
容器
を含むキット。
【請求項３９】
前記投与工程（ａ）および（ｂ）を連続的に行う、請求項１７に記載の方法。
【請求項４０】
前記投与工程（ａ）および（ｂ）を同時に行う、請求項１７に記載の方法。
【請求項４１】
前記投与工程（ａ）および（ｂ）を連続的にも同時にも行う、請求項１７に記載の方法。
【請求項４２】
前記投与工程を任意の順序で行う、請求項１７に記載の方法。
【手続補正書】
【提出日】平成20年6月18日(2008.6.18)
【手続補正１】
【補正対象書類名】特許請求の範囲
【補正対象項目名】全文
【補正方法】変更
【補正の内容】
【特許請求の範囲】
【請求項１】
被験体における肝細胞の増殖を刺激するための組成物であって、該組成物は、
有効量のアンジオポエチン様４タンパク質（ＡＮＧＰＴＬ４）
を含み、該組成物は、肝細胞またはプレ肝細胞の集団に投与するために適していることを特徴とする、組成物。
【請求項２】
前記被験体がヒトである、請求項１に記載の組成物。
【請求項３】
前記ＡＮＧＰＴＬ４がヒトＡＮＧＰＴＬ４のアミノ酸残基２３〜４０６を含む、請求項１に記載の組成物。
【請求項４】
前記ＡＮＧＰＴＬ４がヒトＡＮＧＰＴＬ４のアミノ酸残基１８４〜４０６を含む、請求項１に記載の組成物。
【請求項５】
肝細胞またはプレ肝細胞の集団の投与するために適している、前記ＡＮＧＰＴＬ４をコードする核酸配列を含む、請求項１に記載の組成物。
【請求項６】
被験体における肝細胞の増殖を刺激するための組成物であって、該組成物は、
肝細胞またはプレ肝細胞においてＡＮＧＰＴＬ４の産生を刺激する因子の有効量
を含む、組成物。
【請求項７】
前記被験体がヒトである、請求項６に記載の組成物。
【請求項８】
被験体における肝細胞の増殖を阻害するための組成物であって、該組成物は、
有効量のＡＮＧＰＴＬ４アンタゴニスト
を含み、該組成物は、肝細胞またはプレ肝細胞の集団に投与するために適していることを特徴とする、組成物。
【請求項９】
前記被験体がヒトである、請求項８に記載の組成物。
【請求項１０】
前記アンタゴニストが前記肝細胞においてＡＮＧＰＴＬ４タンパク質の産生を阻害する因子である、請求項８に記載の組成物。
【請求項１１】
前記因子がアンチセンス分子またはリボザイム分子である、請求項８に記載の組成物。
【請求項１２】
前記ＡＮＧＰＴＬ４アンタゴニストが抗ＡＮＧＰＴＬ４抗体である、請求項８に記載の組成物。
【請求項１３】
前記ＡＮＧＰＴＬ４アンタゴニストが抗αｖβ５抗体である、請求項８に記載の組成物。
【請求項１４】
被験体における肝細胞の細胞接着を誘導するための組成物であって、該組成物は、
有効量のＡＮＧＰＴＬ４
を含み、該組成物は、肝細胞の集団に投与するために適していることを特徴とする、組成物。
【請求項１５】
前記被験体がヒトである、請求項１４に記載の組成物。
【請求項１６】
前記ＡＮＧＰＴＬ４がヒトＡＮＧＰＴＬ４のアミノ酸残基２３〜４０６を含む、請求項１４に記載の組成物。
【請求項１７】
前記ＡＮＧＰＴＬ４がヒトＡＮＧＰＴＬ４のアミノ酸残基１８５〜４０６を含む、請求項１４に記載の組成物。
【請求項１８】
担体と共に前記ＡＮＧＰＴＬ４を含む、請求項１４に記載の組成物。
【請求項１９】
被験体における肝細胞の細胞接着を阻害するための組成物であって、該組成物は、
有効量のＡＮＧＰＴＬ４アンタゴニスト
を含み、該組成物は、肝細胞の集団に投与するために適していることを特徴とする、組成物。
【請求項２０】
前記被験体がヒトである、請求項１９に記載の組成物。
【請求項２１】
前記アンタゴニストが抗ＡＮＧＰＴＬ４抗体である、請求項１９に記載の組成物。
【請求項２２】
前記アンタゴニストが抗αｖβ５抗体である、請求項１９に記載の組成物。
【請求項２３】
被験体におけるプレ脂肪細胞の増殖を刺激するための組成物であって、該組成物は、
有効量のＡＮＧＰＴＬ４またはアゴニスト
を含み、該組成物は、プレ脂肪細胞の集団に投与するために適していることを特徴とする、組成物。
【請求項２４】
前記被験体がヒトである、請求項２３に記載の組成物。
【請求項２５】
担体と共に前記ＡＮＧＰＴＬ４を含む、請求項２３に記載の組成物。
【請求項２６】
前記ＡＮＧＰＴＬ４がヒトＡＮＧＰＴＬ４のアミノ酸残基２３〜４０６を含む、請求項２３に記載の組成物。
【請求項２７】
前記ＡＮＧＰＴＬ４がアミノ酸残基およそ２３〜およそ１６２を含む、請求項２６に記載の組成物。
【請求項２８】
被験体におけるプレ脂肪細胞の増殖を阻害するための組成物であって、該組成物は、
有効量のＡＮＧＰＴＬ４アンタゴニスト
を含み、該組成物は、プレ脂肪細胞の集団に投与するために適していることを特徴とする、組成物。
【請求項２９】
前記被験体がヒトである、請求項２８に記載の組成物。
【請求項３０】
前記ＡＮＧＰＴＬ４アンタゴニストが抗ＡＮＧＰＴＬ４抗体である、請求項２８に記載の組成物。
【請求項３１】
被験体におけるＡＮＧＰＴＬ４の生物学的活性を阻害するための組成物であって、該組成物は、
ＡＮＧＰＴＬ４のＣ末端に結合するＡＮＧＰＴＬ４アンタゴニスト
を含む、組成物。
【請求項３２】
前記被験体がヒトである、請求項３１に記載の組成物。
【請求項３３】
前記ＡＮＧＰＴＬ４アンタゴニストが抗ＡＮＧＰＴＬ４抗体である、請求項３１に記載の組成物。
【請求項３４】
前記ＡＮＧＰＴＬ４アンタゴニストが抗αｖβ５抗体である、請求項３１に記載の組成物。
【請求項３５】
前記ＡＮＧＰＴＬ４アンタゴニストは、Ａｎｇｐｔｌ４がαｖβ５に結合することをブロックする、請求項３１に記載の組成物。
【請求項３６】
前記生物学的活性が細胞増殖または細胞分化を誘導することを含む、請求項３１に記載の組成物。
【請求項３７】
ＡＮＧＰＴＬ４のＣ末端に結合する、抗体。
【請求項３８】
中和抗体である、請求項３７に記載の抗体。
【請求項３９】
ＡＮＧＰＴＬ４の改変体を含む組成物であって、
該改変体ＡＮＧＰＴＬ４はタンパク質分解により処理されていない、
組成物。
【請求項４０】
ＡＮＧＰＴＬ４の前記改変体がアミノ酸１６２および／またはアミノ酸１６４の改変を含む、請求項３９に記載の組成物。
【請求項４１】
前記改変が置換である、請求項４０に記載の組成物。
【請求項４２】
前記置換が位置１６２および位置１６４におけるものである、請求項４１に記載の組成物。